(57)【要約】【課題】簡単な構成で、昆虫を確実に捕虫できる捕虫器を提供する。【解決手段】飛翔性の昆虫を誘引する紫外線を発するランプ１と、ランプ１の上方に配置されて紫外線を反射する反射板２と、ランプ１の下方に配置されて、上面を開口した函型のトレー３１、及びトレー３１内の略中央で上方に広がったＶ字形に形成された粘着トラップ３２から成る捕虫部３と、ランプ１の側方を全て覆って配置される透明性衝突板４ａとから構成され、昆虫が飛翔してくる方向に対してランプ１より手前に位置する透明性衝突板４ａはランプ１が発する紫外線を透過させ、昆虫から見た視認性が低いので、昆虫はランプ１に到達する前に透明性衝突板４ａに衝突し、透明性衝突板４ａに衝突した昆虫はトレー３１内に落ちて、粘着トラップ３２に捕獲される。【選択図】        図１
2004275069.tif 000002
【特許請求の範囲】
【請求項１】
飛翔性の昆虫を誘引する誘虫光を発する誘虫光源と、前記誘虫光源の下方に設けられ、上方からの昆虫を捕らえる捕虫部と、前記誘虫光源の側方を全て覆うように配置され、前記誘虫光源に誘引されて飛翔してきた昆虫が衝突して前記捕虫部に落下する衝突体とを備えることを特徴とする捕虫器。
【請求項２】
前記衝突体は、昆虫から見た視認性が低くなるよう形成されることを特徴とする請求項１記載の捕虫器。
【請求項３】
前記誘虫光源は紫外線を発し、前記衝突体は紫外線が透過する部材で形成され、前記誘虫光源に対して昆虫が接近してくる方向に配置されることを特徴とする請求項２記載の捕虫器。
【請求項４】
飛翔性の昆虫を誘引する紫外線を発する誘虫光源と、前記誘虫光源の下方に設けられ、上方からの昆虫を捕らえる捕虫部と、紫外線の反射率が低い部材で形成され、前記誘虫光源の近傍にて、前記誘虫光源の昆虫が接近してくる方向は覆わないように配置され、前記誘虫光源に誘引されて飛翔してきた昆虫が衝突して前記捕虫部に落下する衝突体とを備えることを特徴とする捕虫器。
【請求項５】
前記衝突体は前記誘虫光源の上方及び下方に各々配置されて、前記誘虫光源の上端及び下端との間隔を所定の距離以下としたことを特徴とする請求項４記載の捕虫器。
【請求項６】
複数の前記誘虫光源が並設されることを特徴とする請求項１または４記載の捕虫器。
【請求項７】
前記衝突体は、下側から上側にかけて外側に傾いた面を有することを特徴とする請求項１または４記載の捕虫器。
【発明の詳細な説明】
【０００１】
【発明の属する技術分野】
本発明は、照明を用いた捕虫器に関するものである。
【０００２】
【従来の技術】
捕虫器の従来例１の構成を図１６に示す。飛翔性の昆虫を誘引する誘虫光を発するランプ（誘虫光源）１と、ランプ１の上方に配置されて誘虫光を反射する反射板２と、ランプ１の下方に配置されて、上面を開口した函型のトレー３１、及びトレー３１内の略中央で上下方向に配置された面状の粘着トラップ３２から成る捕虫部３とから構成される。また、トレー３１の側面は下端から上端にかけて外側に傾いている。
【０００３】
上記従来例は、粘着面を有する粘着トラップ３２を用いた粘着式捕虫器であり、矢印Ａの方向から飛翔して、ランプ１が発する誘虫光に誘引された昆虫が粘着トラップ３２の粘着面に直接衝突あるいはとまって、そのまま捕虫される。
【０００４】
図１７に示す従来例２は、上記従来例１の粘着トラップ３２をトレー３１内で上方に広がったＶ字形に形成したもので、Ｖ字型の粘着面に脚から直接とまってそのまま捕虫されたり、ランプ１や反射板２に衝突してＶ字型の粘着面に落ち、そのまま捕虫される。
【０００５】
また従来例３として壁面に取り付けられる捕虫器があり、壁面とは反対側のランプの側方を覆うように透光性を有する衝突板を配置して、ランプからの誘虫光によって集まった昆虫が衝突板に衝突し、捕獲台上に落下して捕虫する。（例えば、特許文献１参照。）
さらに従来例４として、ランプの周囲を透光板で覆い、透光板の上方に設けた散水手段により透光板上に散水して、ランプの光を目当てに飛来して透光板に衝突した害虫が透光板を流下する水によって補虫される害虫駆除装置がある。（例えば、特許文献２参照。）
【０００６】
【特許文献１】
特公平７−５５１２１号公報（２頁左欄第４８行〜右欄第９行、２頁右欄第３８行〜第４１行、図１、図２）
【特許文献２】
実開平５−３７０７８号公報（４頁第３行〜第２６行、図１）
【０００７】
【発明が解決しようとする課題】
従来例１，２では、昆虫を捕らえる捕虫部が粘着式、水盤式、吸引式に関わらず、昆虫が偶然に捕虫部方向へ来たときのみ捕獲できるが、そうでなければ捕獲できる確率は低い。また、粘着トラップに１度捕獲された昆虫も脚部から捕獲されると歩行して逃げる場合があり、確実な捕虫は困難である。
【０００８】
例えば、従来例１では粘着トラップ３２の粘着面に捕獲された昆虫のうち、粘着面に直接衝突あるいはとまって、そのまま捕虫される確率は６割で、粘着面から落ちて逃げる確率が４割となる。従来例２では粘着トラップ３２の粘着面に捕獲された昆虫のうち、粘着面に脚から直接とまりそのまま捕虫された確率は６割、ランプ１や反射板２に衝突してＶ字型の粘着面に落ち、そのまま捕虫された確率は４割となる。そして、粘着面に脚から直接とまりそのまま捕虫された昆虫のうち、粘着面から逃げるのは３割、ランプ１や反射板２に衝突してＶ字型の粘着面に落ちてそのまま捕虫された昆虫のうち、粘着面から逃げるのは１割である。
【０００９】
従来例３では、衝突板がランプの一方の側方しか覆っておらず、捕虫できる昆虫の飛翔方向が限られてしまい、確実な捕虫は困難である。従来例４では、散水手段が必要であり装置が複雑となる。
【００１０】
本発明は、上記事由に鑑みてなされたものであり、その目的は、簡単な構成で、昆虫を確実に捕虫できる捕虫器を提供することにある。
【００１１】
【課題を解決するための手段】
請求項１の発明は、飛翔性の昆虫を誘引する誘虫光を発する誘虫光源と、前記誘虫光源の下方に設けられ、上方からの昆虫を捕らえる捕虫部と、前記誘虫光源の側方を全て覆うように配置され、前記誘虫光源に誘引されて飛翔してきた昆虫が衝突して前記捕虫部に落下する衝突体とを備えることを特徴とする。
【００１２】
請求項２の発明は、請求項１において、前記衝突体は、昆虫から見た視認性が低くなるよう形成されることを特徴とする。
【００１３】
請求項３の発明は、請求項２において、前記誘虫光源は紫外線を発し、前記衝突体は紫外線が透過する部材で形成され、前記誘虫光源に対して昆虫が接近してくる方向に配置されることを特徴とする。
【００１４】
請求項４の発明は、飛翔性の昆虫を誘引する紫外線を発する誘虫光源と、前記誘虫光源の下方に設けられ、上方からの昆虫を捕らえる捕虫部と、紫外線の反射率が低い部材で形成され、前記誘虫光源の近傍にて、前記誘虫光源の昆虫が接近してくる方向は覆わないように配置され、前記誘虫光源に誘引されて飛翔してきた昆虫が衝突して前記捕虫部に落下する衝突体とを備えることを特徴とする捕虫器。
【００１５】
請求項５の発明は、請求項４において、前記衝突体は前記誘虫光源の上方及び下方に各々配置されて、前記誘虫光源の上端及び下端との間隔を所定の距離以下としたことを特徴とする。
【００１６】
請求項６の発明は、請求項１または４において、複数の前記誘虫光源が並設されることを特徴とする。
【００１７】
請求項７の発明は、請求項１または４において、前記衝突体は、下側から上側にかけて外側に傾いた面を有することを特徴とする。
【００１８】
【発明の実施の形態】
以下、本発明の実施の形態を図面に基づいて説明する。
【００１９】
（実施形態１）
図１は本実施形態の捕虫器の側面断面図を示し、捕虫器は、飛翔性の昆虫を誘引する紫外線を発するランプ（誘虫光源）１と、ランプ１の上方に配置されて紫外線を反射する反射板２と、ランプ１の下方に配置されて、上面を開口した函型のトレー３１、及びトレー３１内の略中央で上方に広がったＶ字形に形成された粘着トラップ３２から成る捕虫部３と、ランプ１の側方を全て覆って配置される透明性衝突板４ａとから構成される（図１は側方から見た断面図を示すが、ランプ１の手前側の側方も同様に透明性衝突板４ａに覆われている）。また、トレー３１の側面は下端から上端にかけて外側に傾いている。
【００２０】
透明性衝突板４ａは紫外線を透過させる性質を有するもので、ガラスや樹脂（紫外線吸収剤無しのＰＭＭＡ（メタクリル樹脂）、ＰＣ（ポリカーボネイト樹脂）、塩化ビニル等）で形成される。そして、透明性衝突板４ａはその面が上下方向に対して略平行となるようにランプ１の側面を覆って配置される。
【００２１】
次に本実施形態の捕虫器による捕虫動作について説明する。ランプ１が発する紫外線に誘引された昆虫はランプ１に向かって飛翔する。昆虫が飛翔してくる方向に対してランプ１より手前に位置する透明性衝突板４ａはランプ１が発する紫外線を透過させ、昆虫から見た視認性が低いので、昆虫はランプ１に到達する前に透明性衝突板４ａに衝突し、透明性衝突板４ａに衝突した昆虫はトレー３１内に落ちる。そしてこの衝突によって、トレー３１内に落下し、粘着トラップ３２の粘着面に羽根や胴体が接触する確率が高くなり、さらにランプ１の側方のどの方向から昆虫が飛翔してきても、ランプ１の側方を全て覆っている透明性衝突板４ａに衝突するので、昆虫の捕獲性能（数）が向上する。本実施形態では従来例のように散水手段を備えることなく簡単な構成で、透明性衝突板４ａにＰＭＭＡ（メタクリル樹脂）を用いて、昆虫の捕獲性能（数）が従来に比べて約２〜３．６倍となった。
【００２２】
（実施形態２）
図２は本実施形態の捕虫器の側面断面図を示し、実施形態１とは透明衝突板４ａの形状が異なり、透明性衝突板４ａは、ランプ１の側方を全て覆うように下端より上端にかけて外側に傾いた斜面を有している（図２は側方から見た断面図を示すが、ランプ１の手前側の側方も同様に透明性衝突板４ａに覆われている）。したがって、昆虫が透明性衝突板４ａの斜面に衝突することで、トレー３１内に落下する確率がさらに高くなり、昆虫の捕獲性能（数）がさらに向上する。他の構成は実施形態１と同様であり、説明は省略する。
【００２３】
（実施形態３）
図３は本実施形態の捕虫器の側面断面図を示し、実施形態１とは衝突板が異なる。本実施形態では、ランプ１が発する紫外線の反射率が低い低反射性衝突板４ｂを用いており、黒色塗装体や樹脂（紫外線吸収剤有りのＰＭＭＡ（メタクリル樹脂）、ＰＣ（ポリカーボネイト樹脂）、塩化ビニル等）で形成されている。そして、２枚の低反射性衝突板４ｂの各面が上下方向に対して略平行となるようにランプ１の上方及び下方に各々配置され、ランプ１の側方は覆わないようにしている。
【００２４】
次に本実施形態の捕虫器による捕虫動作について説明する。ランプ１が発する紫外線に誘引された昆虫はランプ１に向かって飛翔する。ランプ１の上方、下方に位置する低反射性衝突板４ｂはランプ１が発する紫外線を殆ど反射せず、昆虫から見た視認性が低いので、昆虫はランプ１あるいは低反射性衝突板４ｂに衝突し、衝突した昆虫はトレー３１内に落ちる。そしてこの衝突によって、トレー３１内に落下し、粘着トラップ３２の粘着面に羽根や胴体が接触する確率が高くなり、昆虫の捕獲性能（数）が向上する。本実施形態では従来例のように散水手段を備えることなく簡単な構成で、低反射性衝突板４ｂに黒色塗装体を用いて、昆虫の捕獲性能（数）が従来に比べて約２〜３．６倍となった。
【００２５】
また、図４に示すランプ１の上端、下端と低反射性衝突板４ｂ，４ｂとの各間隔Ｘは３０ｍｍ以下が望ましい。図５は間隔Ｘと捕虫数との関係を示したもので、間隔Ｘが３０ｍｍ以下であれば捕虫数３５０匹以上で略一定であり、３０ｍｍを超えると捕虫数は減少し始め、低反射性衝突板４ｂがない場合は捕虫数９０匹程度となる。
【００２６】
（実施形態４）
本実施形態では、実施形態３において２本のランプ１ａ，１ｂを用いるときの配置について以下図６、図７を用いて説明する。なお、図６、図７においてトレー３１内の粘着トラップ３２は省略する。また実施形態３と同様の構成には同一の符号を付して説明は省略する。
【００２７】
図６は、２本のランプ１ａ，１ｂを水平方向に並設したものであり、ランプ１ａ，１ｂの各上方及び下方には、低反射性衝突板４ｂがその面を上下方向に対して略平行として各々配置されている。図７では、２本のランプ１ａ，１ｂを上下方向に並設したものであり、ランプ１ａ，１ｂの各上方及び下方には、低反射性衝突板４ｂがその面を上下方向に対して略平行として各々配置されている。
【００２８】
また図８は、実施形態１の透明性衝突板４ａが、図６のランプ１ａ，１ｂの他方のランプが並設していない側を各々覆うように配置されたもので、図９は実施形態１の透明性衝突板４ａが、図７のランプ１ａ，１ｂの両側を覆うように配置されたものであり、透明性衝突板４ａは、その面が上下方向に対して略平行となるように配置されている。
【００２９】
上記のように複数のランプを並設することで、昆虫から見た発光サイズを大きく見せて、昆虫から見て目立つ構成としている。
【００３０】
（実施形態５）
本実施形態では、実施形態３において３本のランプ１ａ，１ｂ，１ｃを用いるときの配置について以下図１０を用いて説明する。なお、図１０においてトレー３１内の粘着トラップ３２は省略する。また実施形態３と同様の構成には同一の符号を付して説明は省略する。
【００３１】
図１０は、２本のランプ１ａ，１ｂを水平方向に並設し、ランプ１ａ，１ｂ間の略中心、下方に１本のランプ１ｃを配置したものであり、ランプ１ａ，１ｂの各上方には、低反射性衝突板４ｂがその面を上下方向に対して略平行として各々配置されている。そして、ランプ１ａ，１ｂの各下方からは、低反射性衝突板４ｂがその下端をランプ１ｃに向けて各々配置されており、低反射性衝突板４ｂの下端から上端にかけて外側に傾いた面を有している。したがって、昆虫が低反射性衝突板４ｂの斜面に衝突することで、昆虫が低反射性衝突板４ｂに衝突した後、トレー３１内に落下する確率がさらに高くなり、昆虫の捕獲性能（数）がさらに向上する。
【００３２】
また図１１に示すように、低反射性衝突板４ｂの傾斜角度αは昆虫の捕獲性能（数）を考慮すると、両側方向に対して７５°〜１０５°が望ましい。
【００３３】
（実施形態６）
実施形態３において、誘虫光源として直管型のランプ１を用いた場合の、低反射性衝突板４ｂの形状を図１２，図１３に各々示す。図１２の低反射性衝突板４ｂは板状に形成され、図１３の低反射性衝突板４ｂは網目紐状に形成される。また、実施形態１においても透明性衝突板４ａの形状を図１２，図１３と同様に、板状あるいは網目紐状に形成できる。
【００３４】
（実施形態７）
実施形態３において、誘虫光源として丸型のランプ１を用いた場合の、低反射性衝突板４ｂの形状を図１４，図１５に各々示す。図１４の低反射性衝突板４ｂは円板状に形成され、略中心にはランプ１を配置するための円形の開口４１が設けられる。図１５では、矩形の板状の２枚の低反射性衝突板４ｂを、その各面が略中央で互いに略垂直となるように組み合わせ、各低反射性衝突板４ｂの略中央に設けた円形の開口４２内にランプ１が配置される。
【００３５】
【発明の効果】
請求項１の発明は、飛翔性の昆虫を誘引する誘虫光を発する誘虫光源と、前記誘虫光源の下方に設けられ、上方からの昆虫を捕らえる捕虫部と、前記誘虫光源の側方を全て覆うように配置され、前記誘虫光源に誘引されて飛翔してきた昆虫が衝突して前記捕虫部に落下する衝突体とを備えるので、簡単な構成で、昆虫を確実に捕虫できるという効果がある。
【００３６】
請求項２の発明は、請求項１において、前記衝突体は、昆虫から見た視認性が低くなるよう形成されるので、衝突体に衝突する昆虫の数を増やすことができるという効果がある。
【００３７】
請求項３の発明は、請求項２において、前記誘虫光源は紫外線を発し、前記衝突体は紫外線が透過する部材で形成され、前記誘虫光源に対して昆虫が接近してくる方向に配置されるので、紫外線で昆虫を引き寄せることができるという効果がある。
【００３８】
請求項４の発明は、飛翔性の昆虫を誘引する紫外線を発する誘虫光源と、前記誘虫光源の下方に設けられ、上方からの昆虫を捕らえる捕虫部と、紫外線の反射率が低い部材で形成され、前記誘虫光源の近傍にて、前記誘虫光源の昆虫が接近してくる方向は覆わないように配置され、前記誘虫光源に誘引されて飛翔してきた昆虫が衝突して前記捕虫部に落下する衝突体とを備えるので、簡単な構成で、昆虫を確実に捕虫できるという効果がある。
【００３９】
請求項５の発明は、請求項４において、前記衝突体は前記誘虫光源の上方及び下方に各々配置されて、前記誘虫光源の上端及び下端との間隔を所定の距離以下としたので、一定以上の捕虫数を確保できるという効果がある。
【００４０】
請求項６の発明は、請求項１または４において、複数の前記誘虫光源が並設されるので、昆虫から見た発光サイズを大きく見せることができるという効果がある。
【００４１】
請求項７の発明は、請求項１または４において、前記衝突体は、下側から上側にかけて外側に傾いた面を有するので、昆虫が衝突体の斜面に衝突することで、昆虫が捕虫部に落下する確率がさらに高くなり、昆虫をより確実に捕虫できるという効果がある。
【図面の簡単な説明】
【図１】本発明の実施形態１を示す側面断面図である。
【図２】本発明の実施形態２を示す側面断面図である。
【図３】本発明の実施形態３を示す側面断面図である。
【図４】同上のランプ及び衝突板の近傍を示す図である。
【図５】同上のランプと衝突板との間隔と、捕虫数との関係を示す図である。
【図６】本発明の実施形態４の第１の構成を示す側面断面図である。
【図７】同上の第２の構成を示す側面断面図である。
【図８】同上の第３の構成を示す側面断面図である。
【図９】同上の第４の構成を示す側面断面図である。
【図１０】本発明の実施形態５の構成を示す側面断面図である。
【図１１】同上の衝突板の配置角度を示す図である。
【図１２】本発明の実施形態６の衝突板の第１の構成を示す図である。
【図１３】同上の衝突板の第２の構成を示す図である。
【図１４】本発明の実施形態７の衝突板の第１の構成を示す図である。
【図１５】同上の衝突板の第２の構成を示す図である。
【図１６】従来例１の構成を示す側面断面図である。
【図１７】従来例２の構成を示す側面断面図である。
【符号の説明】
１  ランプ
２  反射板
３  捕虫部
４ａ  透明性衝突板
３１  トレー
３２  粘着トラップ
【図１】
2004275069.tif 000003
【図２】
2004275069.tif 000004
【図３】
2004275069.tif 000005
【図４】
2004275069.tif 000006
【図５】
2004275069.tif 000007
【図６】
2004275069.tif 000008
【図７】
2004275069.tif 000009
【図８】
2004275069.tif 000010
【図９】
2004275069.tif 000011
【図１０】
2004275069.tif 000012
【図１１】
2004275069.tif 000013
【図１２】
2004275069.tif 000014
【図１３】
2004275069.tif 000015
【図１４】
2004275069.tif 000016
【図１５】
2004275069.tif 000017
【図１６】
2004275069.tif 000018
【図１７】
2004275069.tif 000019